(57)【要約】【課題】身体に血行促進作用による健康増進効果をもたらす磁性体を備えた装身具を身に着けたときに磁石が直接肌に触れることによる不快感および金属アレルギーによる肌荒れを防止しつつ、装飾性を損なうことのない磁気装身具を提供する。【解決手段】磁気ヘマタイト装身具は、複数の磁性化されたヘマタイトと、複数の天然石と、複数のビーズとを備え、前記複数の磁化されたヘマタイトと前記複数の天然石と前記複数のビーズとを所定の配列でリング状に連結することで装身具を一体的に形成する複数の連結ワイヤを備えることを特徴とする。【選択図】図５
0003174571.tif 000002
【実用新案登録請求の範囲】
【請求項１】
複数の磁化されたヘマタイトと、
複数の天然石と、
複数のビーズとを備え、
前記複数の磁化されたヘマタイトと前記複数の天然石と前記複数のビーズとを所定の配列でリング状に連結することで磁気ヘマタイト装身具を一体的に形成する複数の連結ワイヤを備えることを特徴とする磁気ヘマタイト装身具。
【請求項２】
前記複数の磁化されたヘマタイトを磁気ヘマタイト装身具の所定位置に連設することを特徴とする請求項１に記載の磁気ヘマタイト装身具。
【請求項３】
前記複数の磁化されたヘマタイトを磁気ヘマタイト装身具の所定位置に一定の間隔を空けて配設することを特徴とする請求項１に記載の磁気ヘマタイト装身具。
【請求項４】
前記複数の磁化されたヘマタイトは大きくても小さくてもよいことを特徴とする請求項１から３の何れか１項に記載の磁気ヘマタイト装身具。
【請求項５】
前記複数の磁化されたヘマタイトと前記複数の天然石と前記複数のビーズは中央を貫通する孔をそれぞれ備え、
前記それぞれの孔に前記連結ワイヤを挿通することにより前記複数の磁化されたヘマタイトと前記複数の天然石と前記複数のビーズとを連結することを特徴とする請求項１から４の何れか１項に記載の磁気ヘマタイト装身具。
【請求項６】
前記複数の磁化されたヘマタイトと前記複数の天然石と前記複数のビーズとを所定長の前記連結ワイヤでリング状に連結して複数の小リングを構成し、
前記複数の小リングを構成する前記複数の磁化されたヘマタイトまたは前記複数の天然石の前記それぞれの孔を介して前記複数の小リングをリング状に連結することで装身具を一体的に形成することを特徴とする請求項５に記載の磁気ヘマタイト装身具。
【請求項７】
前記複数の連結ワイヤは、伸縮自在の弾性体からなることを特徴とする請求項１から６の何れか１項に記載の磁気ヘマタイト装身具。
【考案の詳細な説明】
【技術分野】
【０００１】
本考案は、磁気ヘマタイト装身具に関する。
【背景技術】
【０００２】
近年、身体に血行促進作用をもたらす磁性体を備えたネックレスやアンクレット等の装身具がよく知られている。
【０００３】
特許文献１には、自然石又はトルマリンからなる構成ピースと円筒状磁石とを、布製袋状のネックレス本体部に所定の順番で挿入し配置するので、ネックレスの形成が容易であると共に、自然石又はトルマリンによる効果、磁力線による効果を維持しつつ装着感を向上させる考案が開示されている。
【先行技術文献】
【特許文献】
【０００４】
【特許文献１】実用新案登録第３１６０５５６号公報
【考案の概要】
【考案が解決しようとする課題】
【０００５】
特許文献１に係る考案は、磁石を布製袋によって包むことにより磁石が直接肌に触れることによる不快感や金属アレルギーによる肌荒れを防止するものである。
【０００６】
ここで、ネックレス等の装身具はそもそも多様なデザインを施すことでその装飾性を高め、身に着ける者の個性の演出を図るものである。しかし、特許文献１に係る考案のように磁石のみならず天然石までも布製袋で包んでしまうと見栄えが必ずしも良くなく、ネックレス等の装身具が有する装飾性などの本来的な特性が損なわれてしまうという問題がある。
【０００７】
そこで、本考案は身体に血行促進作用による健康増進効果をもたらす磁性体を備えた装身具を身に着けたときに磁石が直接肌に触れることによる不快感および金属アレルギーによる肌荒れを防止しつつ、装飾性を損なうことのない磁気装身具を提供することを目的とする。
【課題を解決するための手段】
【０００８】
上記課題を解決するため、本考案の磁気ヘマタイト装身具は、複数の磁性化されたヘマタイトと、複数の天然石と、複数のビーズとを備え、前記複数の磁化されたヘマタイトと前記複数の天然石と前記複数のビーズとを所定の配列でリング状に連結することで装身具を一体的に形成する複数の連結ワイヤを備えることを特徴とする。
【考案の効果】
【０００９】
本考案によれば、磁化されたヘマタイトを備えることで、磁石が直接肌に触れることによる不快感および金属アレルギーによる肌荒れを防止しつつ、装飾性を保ったまま身体への血行促進作用による健康増進効果をもたらすことが可能となる。
【図面の簡単な説明】
【００１０】
【図１】本考案の第１実施形態の磁気ヘマタイト装身具の外観斜視図である。
【図２】本考案の第１実施形態の磁気ヘマタイト装身具の一部拡大断面図である。
【図３】本考案の第２実施形態の磁気ヘマタイト装身具の外観斜視図である。
【図４】本考案の第２実施形態の磁気ヘマタイト装身具の一部拡大透視断面図である。
【図５】本考案の実施形態の磁気ヘマタイト装身具の人への装着図である。
【考案を実施するための形態】
【００１１】
以下、本考案の実施形態の磁気ヘマタイト装身具について図を用いて説明する。本考案の実施形態の磁気ヘマタイト装身具は、ネックレス、ブレスレット、アンクレットなど種々の装身具に適用され、身体に血行促進作用をもたらす磁性体として磁化されたヘマタイトを備えることを特徴とするものである。なお、ヘマタイトには元々磁性を有するものもあるが、強磁性体であることより元々磁性の無いものであっても、着磁により磁化させることができる。本実施形態においては、左記のいずれのヘマタイトを用いてもよい。
【００１２】
［第１実施形態］
本考案の第１実施形態の磁気ヘマタイト装身具１について図１及び図２を用いて説明する。本考案の第１実施形態の磁気ヘマタイト装身具１は、複数の磁気ヘマタイト１１、複数の天然石１２、複数のビーズ１３、複数のチャーム１４、複数のチャーム取付用リング１５、複数の連結リング１６、複数のリング連結ワイヤ１７、及び連結ワイヤ１８で構成される。
【００１３】
磁気ヘマタイト１１は、球状に加工された鉄黒色の鉱石であり磁化された天然石である。磁化されたヘマタイトを身につけることで血行促進作用による健康増進効果をもたらすことが可能となる。なお図２に表すとおり、磁気ヘマタイト１１にも中心を貫通する孔１０１が設けられ、当該孔１０１に連結ワイヤ１８を通すことで複数の他の磁気ヘマタイト１１や天然石１２と繋ぎ合わされる。本実施形態の磁気ヘマタイト１１は球状であるが、これに限らず種々の形状の磁気ヘマタイトを採用することができる。ヘマタイトは天然石であるため、磁石などの人為的に生成された他の磁性体と異なり人への親和性が深いといわれる。よって個人差はあるものの、身に着けたときの不快感が軽減され、また金属アレルギーによる肌荒れのおそれも少ない。
【００１４】
また、ヘマタイトは金属光沢を有し、ブラックダイヤモンドといわれることから装身具を装飾するパーツとして望ましい。なお、ヘマタイトをカラーコーティングにより着色することで、カラフルなヘマタイトを提供することができる。また、一般的にヘマタイトには血液に対してよい効果をもたらし、運動能力や持久力を高めるなどのヒーリング効果があるといわれている。
【００１５】
なお、磁気ヘマタイトの大きさや配列個数によって磁気エネルギーは変化する。すなわち、磁気エネルギーは磁気ヘマタイトが大きいほどこれに比例して大きくなり、多くの磁気ヘマタイトを密接配置させることにより大きくなる。また、磁気の血行促進作用による健康増進効果には個人差があり、磁気エネルギーが大きいものを必要とする人もいれば、小さい磁気エネルギーで十分な人もいる。
【００１６】
そこで、本実施形態の磁気ヘマタイト装身具１のように、複数の天然石１２や複数のビーズ１３を間に挟むことで複数の磁気ヘマタイト１１どうしが密接しないようにする（磁気ヘマタイトを一定の間隔を空けて配設する）。こうすることで、磁気エネルギーが弱くなるので、磁気の血行促進作用による健康増進効果を得るために、小さい磁気エネルギーで十分な人に最適な磁気ヘマタイト装身具を提供することができる。
【００１７】
また、図示は控えるが、本実施形態と異なり複数の磁気ヘマタイトを所定位置に連続して配列する（磁気ヘマタイトどうしが必ずしも密着している必要はない。）ことで、磁気エネルギーが強くなるので、磁気の血行促進作用による健康増進効果を得るために、磁気エネルギーが大きいものを必要とする人に最適な磁気ヘマタイト装身具を提供することができる。
【００１８】
さらに、磁気ヘマタイトの大きさ（表面積および体積）を変えることにより、磁気エネルギーを調節できるので、磁気の血行促進作用による健康増進効果を得るために、大きい磁気エネルギーを必要とする人と小さい磁気エネルギーで十分な人の両方に適応する磁気ヘマタイト装身具を提供することができる。
【００１９】
天然石１２は、球状に加工された石であるが、この形状に限られるものではない。また、天然石の種類も問わない。また、図２に表すように天然石１２の中心を貫通する孔１０２を設け、当該孔１０２に連結ワイヤ１８を通すことで複数の磁気ヘマタイト１１や複数のビーズ１３と繋ぎ合わされ、磁気ヘマタイト装身具１の一部を構成する。天然石１２の大きさ・形状・種類を種々変更することにより、磁気ヘマタイト装身具のデザイン性を高めることができる。
【００２０】
ビーズ１３は、アクリル製で直径約３〜４ｍｍの球状のものを使用するが、この材質・大きさ・形状に限られるものではない。本考案の磁気ヘマタイト装身具１の装飾性を高める目的で使用されることは言うまでもない。また、図２に表すようにビーズ１３にも複数の磁気ヘマタイト１１や複数の天然石１２と連結ワイヤ１８で連結するため中心を貫通する孔１０３が設けられる。
【００２１】
チャーム１４は、最大辺が約１２ｍｍ、厚みが約２ｍｍの星形の飾りである。本実施形態におけるチャーム１４は真鍮製であるが、これに限らずアクリル製やプラスチック製であってもよい。またチャームの形状や大きさも限定されず、様々なものを採用することができる。チャーム１４と一体成形されたチャーム取付用リング１５と連結リング１６を繋ぎ、連結リング１６とリング連結ワイヤ１７を繋ぐことでチャーム１４を磁気ヘマタイト装身具１に取付ける。リング連結ワイヤ１７は、チャーム１４を取付けたい任意の位置でビーズ１３の中央を貫通する孔１０３に挿通されビーズ１３に繋げられる。なお、チャーム１４・チャーム取付用リング１５・連結リング１６・リング連結ワイヤ１７は装飾目的のみで採用されるパーツであり、本考案の必須の構成要素ではない。
【００２２】
連結ワイヤ１８は、磁気ヘマタイト１１・天然石１２・ビーズ１３を所定の配列でリング状に連結し、本実施形態の磁気ヘマタイト装身具１を一体的に形成するためのパーツである。所定の配列とは、本実施形態のようにビーズ１３、天然石１２、磁気ヘマタイト１１、天然石１２の順で各パーツを並べていく配列であってもよいし、その他の配列であってもよい。連結ワイヤ１８としては、ナイロン糸、ナイロンコートワイヤ及び一般的に「水晶の糸」といわれるポリウレタン製のシリコンゴム糸を使用するが、これらに限定されることはない。
【００２３】
また、連結ワイヤ１８を上記「水晶の糸」などの伸縮自在の弾性体で構成することにより、例えば磁気ヘマタイト装身具１としてのブレスレットを腕に装着する際、連結ワイヤ１８の伸び縮みにより、ブレスレットの内径サイズが腕の外周に適合するので、腕の太さに応じてブレスレットを加工する必要がなくなる。なお、弾性体には所定の弾性限界が存在するため、連結ワイヤ１８の最大長を変えることにより（この場合、連結ワイヤの最大長を長くしたときは、同時に磁気ヘマタイトや天然石の数を増やす必要があり、逆に最大長を短くしたときは、同時に磁気ヘマタイトや天然石の数を減らす必要がある。）、例えばアンクレットのような身体の他の部位へ装着する磁気ヘマタイト装身具を提供することができる。
【００２４】
［第２実施形態］
次に本考案の第２実施形態の磁気ヘマタイト装身具２について、図３及び図４を用いて説明する。なお、本考案の第１実施形態の磁気ヘマタイト装身具１と同様の構成についてはその説明を省略する。また、本考案の第２実施形態の磁気ヘマタイト装身具２について、図３に示すようなネックリングを例に説明する。なお、ネックリングとは、「水晶の糸」などの伸縮自在の弾性体としてのワイヤ等で天然石などを連結させたリング状の首飾りのことをいう。ワイヤの伸び縮みによって、ネックリングの内径が頭囲に合わせて変化するので、これを頭から被るだけで容易に首周りに装着することができる（図５参照）。もっとも、本考案の第２実施形態の磁気ヘマタイト装身具２として、ネックリングに限らず、アンクレットなどの身体の他の部位へ装着する磁気ヘマタイト装身具であってもよい。
【００２５】
本考案の第２実施形態の磁気ヘマタイト装身具２は、複数の磁気ヘマタイト２１、複数の天然石２２、複数のビーズ２３、及び複数の連結ワイヤ２４で構成される。本考案の第２実施形態の磁気ヘマタイト装身具２は、各パーツの配列構成が第１実施形態と異なる。
【００２６】
すなわち図３に表すとおり、本実施形態においては、磁気ヘマタイト２１、天然石２２及び６個のビーズ２３を所定長の連結ワイヤ２４で連結し小リング２００（図中の破線部）を構成する。所定長としたのは、小リング２００を構成する磁気ヘマタイト２１、天然石２２及びビーズ２３の数や大きさによって小リング２００の大きさが異なるからである。すなわち、小リング２００の構成は本実施形態の構成に限られることはない。
【００２７】
本実施形態が上記構成をとることにより、磁気ヘマタイト２１及び天然石２２の間に空間３００が形成されるので磁気ヘマタイト２１及び天然石２２どうしが密接することがなく、磁気ヘマタイト装身具２の装着の際、磁気ヘマタイト２１及び天然石２２を並べて配列することでお互いが密接する端部がこすれ、磁気ヘマタイト２１及び天然石２２の一方または双方の欠損または破損を防止することができる。
【００２８】
また、例えば本実施形態の磁気ヘマタイト装身具２を構成する天然石２２及びビーズ２３の１つ以上（すべてではない）を、これに代えて磁気ヘマタイト２１とは異なる（あるいは同じでもよい）磁気ヘマタイトとすることで、より多くの磁気ヘマタイトを備えることになるので、より大きな磁気エネルギーを得ることができ、磁気の血行促進作用による健康増進効果を得るために、大きい磁気エネルギーを必要とする人に適応する磁気ヘマタイト装身具を提供することができる。
【００２９】
図５に、上記各実施形態の磁気ヘマタイト装身具の人への装着図を表す。（ａ）は、人４００の首４０１に第２実施形態の磁気ヘマタイト装身具２としてのネックリングを装着した状態を表す。（ｂ）は、人の足５００の足首５０１に第１実施形態の磁気ヘマタイト装身具としてのアンクレットを装着した状態を表す。図のように磁気ヘマタイト装身具を装着することにより、磁気ヘマタイト装身具が装着される身体の各部位に血行促進作用による健康増進効果をもたらすことが可能となる。
【００３０】
本考案は、複数の磁化されたヘマタイトを磁気ヘマタイト装身具の所定位置に連設することを特徴としてもよい。これにより磁気エネルギーが強くなるので、磁気の血行促進作用による健康増進効果を得るために、磁気エネルギーが大きいものを必要とする人に最適な磁気ヘマタイト装身具を提供することができる。
【００３１】
本考案は、複数の磁化されたヘマタイトを磁気ヘマタイト装身具の所定位置に一定の間隔を空けて配設することを特徴としてもよい。これにより磁気エネルギーが弱くなるので、磁気の血行促進作用による健康増進効果を得るために、小さい磁気エネルギーで十分な人に最適な磁気ヘマタイト装身具を提供することができる。
【００３２】
本考案は、複数の磁化されたヘマタイトが大きくても小さくてもよいことを特徴としてもよい。これにより磁気エネルギーを調節できるので、磁気の血行促進作用による健康増進効果を得るために、大きい磁気エネルギーを必要とする人と小さい磁気エネルギーで十分な人の両方に適応する磁気ヘマタイト装身具を提供することができる。
【００３３】
本考案は、複数の磁化されたヘマタイトと複数の天然石と複数のビーズが中央を貫通する孔をそれぞれ備え、それぞれの孔に連結ワイヤを挿通することにより複数の磁化されたヘマタイトと複数の天然石と複数のビーズとを連結することを特徴としてもよい。各パーツを連結ワイヤに挿通するだけで、磁気ヘマタイト装身具を簡単につくることができる。
【００３４】
本考案は、複数の磁化されたヘマタイトと複数の天然石と複数のビーズとを所定長の連結ワイヤでリング状に連結して複数の小リングを構成し、複数の小リングを構成する複数の磁化されたヘマタイトまたは複数の天然石のそれぞれの孔を介して複数の小リングをリング状に連結することで装身具を一体的に形成することを特徴としてもよい。これにより磁気ヘマタイト及び天然石の間に空間が形成されるので、磁気ヘマタイト及び天然石どうしが密接することがなく、磁気ヘマタイト装身具の装着の際、磁気ヘマタイト及び天然石を並べて配列することでお互いが密接する端部がこすれ、磁気ヘマタイト及び天然石の一方または双方の欠損または破損を防止することができる。
【００３５】
本考案は、複数の連結ワイヤが伸縮自在の弾性体からなることを特徴としてもよい。これにより、例えば磁気ヘマタイト装身具としてのブレスレットを腕に装着する際、連結ワイヤの伸び縮みにより、ブレスレットの内径サイズが腕の外周に適合し、腕の太さに応じてブレスレットを加工する必要がなくなる。このため、該ブレスレットに限らず、身体の特定部位の太さに応じた磁気ヘマタイト装身具を提供することができる。
【００３６】
なお、上述する各実施の形態は、本考案の好適な実施の形態であり、本考案の要旨を逸脱しない範囲内において種々変更実施が可能である。
【符号の説明】
【００３７】
１、２    磁気ヘマタイト装身具
１１、２１    磁気ヘマタイト
１２、２２    天然石
１３、２３    ビーズ
１４    チャーム
１５    チャーム取付用リング
１６    連結リング
１７    リング連結ワイヤ
１８、２４    連結ワイヤ
１０１〜１０３    孔
２００    小リング
３００    空間
４００    人
４０１    首
５００    人の足
５０１    足首
【図１】
0003174571.tif 000003
【図２】
0003174571.tif 000004
【図３】
0003174571.tif 000005
【図４】
0003174571.tif 000006
【図５】
0003174571.tif 000007